(57)【要約】【課題】通信端末からセンタ装置にポイント情報を送信する際に、簡単な操作で確実にポイント情報をセンタ装置に送信することが可能なポイントシステムを提供する。【解決手段】ポイント発行機１は暗号化したポイント情報を生成し、ポイント情報を情報伝達装置２に書き込み、携帯通信端末３に情報伝達装置２を接続すると、情報伝達装置２は携帯通信端末３の機種等の情報を受信し、受信した情報に基づいて操作データを生成し、操作データを携帯通信端末３に送信し、携帯通信端末３は受信した操作データに対応した操作手順を行うことで、センタ装置４にアクセスして通信を開始し、携帯通信端末３はセンタ装置４にポイント情報を送信し、センタ装置４は受信したポイント情報からポイント数を解読して蓄積された積算ポイント数に加算し、積算ポイント数を携帯通信端末３に送信し、携帯通信端末３は積算ポイント数を表示する。【選択図】　図１
2004062782.tif 000002
【特許請求の範囲】
【請求項１】
商品の販売に際してポイント発行装置から利用者にポイント情報を発行し、前記利用者は該ポイント発行装置から発行されたポイント情報を通信端末を用いてセンタ装置に送信することにより該ポイント情報に対応する所要のサービスを前記センタ装置から受けるポイントシステムにおいて、
前記ポイント発行装置から前記ポイント情報を受信するとともに、該ポイント情報に対応する前記通信端末の操作データを生成し、前記通信端末に装着された際に該操作データに基づき該通信端末を制御して前記ポイント情報を前記センタ装置に送信する情報伝達装置
を具備することを特徴とするポイントシステム。
【請求項２】
前記操作データは、
前記通信端末から前記センタ装置にポイント情報を送信する際に必要な該通信端末の操作手順のデータである
ことを特徴とする請求項１記載のポイントシステム。
【請求項３】
前記情報伝達装置は、
前記ポイント発行装置と接続して前記ポイント情報を受信する第１の通信手段と、
前記第１の通信手段で受信したポイント情報を記憶するポイント情報記憶手段と、
前記ポイント情報記憶手段に記憶したポイント情報に基づいて前記操作データを生成する操作データ生成手段と、
前記操作データ生成手段で生成した操作データを記憶する操作データ記憶手段と、
前記通信端末に装着された際に該通信端末と通信を行う第２の通信手段と
を具備することを特徴とする請求項２記載のポイントシステム。
【請求項４】
前記第２の通信手段は、
前記通信端末の機種情報の受信および前記操作データ記憶手段に記憶した操作データの送信を行う
ことを特徴とする請求項３記載のポイントシステム。
【請求項５】
前記操作データ生成手段は、
前記第２の通信手段で受信した通信端末の機種情報に基づき、該通信端末の機種に適した操作データを生成する
ことを特徴とする請求項４記載のポイントシステム。
【請求項６】
前記通信端末は、
前記センタ装置への前記ポイント情報の送信が終了した際に、前記第２の通信手段で行われた通信の履歴を記憶する通信履歴記憶手段
を具備し、
前記第２の通信手段は、
前記通信端末から前記センタ装置への前記ポイント情報の送信が終了した際に、該通信端末が具備する通信履歴記憶手段に記憶された通信の履歴を消去するための通信履歴消去操作データを送信する
ことを特徴とする請求項３記載のポイントシステム。
【請求項７】
前記情報伝達装置は、
前記通信端末への前記通信履歴消去操作データの送信の開始を指示する送信開始指示手段
を具備することを特徴とする請求項６記載のポイントシステム。
【請求項８】
前記情報伝達装置は、
前記ポイント発行装置との通信状況および前記通信端末との通信状況を表示する表示手段
を具備することを特徴とする請求項１記載のポイントシステム。
【請求項９】
前記情報伝達装置は、
充電可能な２次電池と、
前記ポイント発行装置に接続した際に前記２次電池を充電する充電手段と
を具備することを特徴とする請求項１記載のポイントシステム。
【発明の詳細な説明】
【０００１】
【発明の属する技術分野】
本発明は、ポイントシステムに関し、特に、商品の販売に伴って発行されるポイント情報を通信端末を利用してセンタ装置に送信するようにしたポイントシステムに関する。
【０００２】
【従来の技術】
従来、特定商品のプロモーション等において、商品の販売毎にポイントを発行し、当該商品の購入者がポイントを収集して景品等と交換するといったことが行われている。
【０００３】
ところで、最近、携帯電話機等の通信端末を利用して発行されたポイント情報をセンタ装置に送信して蓄積管理するポイントシステムが提案されている。例えば、商品の販売に際して暗号化したポイント情報をポイント発行装置から利用者に提示し、利用者はこの提示されたポイント情報を携帯電話若しくはパソコン等の通信端末を利用してセンタ装置に送信し、センタ装置ではこの利用者から送信されたポイント情報を解読して利用者毎に蓄積管理することで所要のサービスを利用者に還元するポイントシステムが提案されている。
【０００４】
【発明が解決しようとする課題】
しかし、上記のようなポイントシステムでは、提示されたポイント情報を通信端末からセンタ装置に送信するために、ポイント情報を手動入力する必要があり、このため複雑な操作を必要とし、また、この操作において誤入力の発生も考えられるので、購入者が発行されたポイントを有効にセンタ装置に送信することができないという問題があった。
【０００５】
そこで、本発明は、通信端末からセンタ装置にポイント情報を送信する際に、簡単な操作で確実にポイント情報をセンタ装置に送信することができるようにしたポイントシステムを提供することを目的とする。
【０００６】
【課題を解決するための手段】
上記目的を達成するため、請求項１の発明は、商品の販売に際してポイント発行装置から利用者にポイント情報を発行し、前記利用者は該ポイント発行装置から発行されたポイント情報を通信端末を用いてセンタ装置に送信することにより該ポイント情報に対応する所要のサービスを前記センタ装置から受けるポイントシステムにおいて、前記ポイント発行装置から前記ポイント情報を受信するとともに、該ポイント情報に対応する前記通信端末の操作データを生成し、前記通信端末に装着された際に該操作データに基づき該通信端末を制御して前記ポイント情報を前記センタ装置に送信する情報伝達装置を具備することを特徴とする。
【０００７】
また、請求項２の発明は、請求項１の発明において、前記操作データは、前記通信端末から前記センタ装置にポイント情報を送信する際に必要な該通信端末の操作手順のデータであることを特徴とする。
【０００８】
また、請求項３の発明は、請求項２の発明において、前記情報伝達装置は、前記ポイント発行装置と接続して前記ポイント情報を受信する第１の通信手段と、前記第１の通信手段で受信したポイント情報を記憶するポイント情報記憶手段と、前記ポイント情報記憶手段に記憶したポイント情報に基づいて前記操作データを生成する操作データ生成手段と、前記操作データ生成手段で生成した操作データを記憶する操作データ記憶手段と、前記通信端末に装着された際に該通信端末と通信を行う第２の通信手段とを具備することを特徴とする。
【０００９】
また、請求項４の発明は、請求項３の発明において、前記第２の通信手段は、前記通信端末の機種情報の受信および前記操作データ記憶手段に記憶した操作データの送信を行うことを特徴とする。
【００１０】
また、請求項５の発明は、請求項４の発明において、前記操作データ生成手段は、前記第２の通信手段で受信した通信端末の機種情報に基づき、該通信端末の機種に適した操作データを生成することを特徴とする。
【００１１】
また、請求項６の発明は、請求項３の発明において、前記通信端末は、前記センタ装置への前記ポイント情報の送信が終了した際に、前記第２の通信手段で行われた通信の履歴を記憶する通信履歴記憶手段を具備し、前記第２の通信手段は、前記通信端末から前記センタ装置への前記ポイント情報の送信が終了した際に、該通信端末が具備する通信履歴記憶手段に記憶された通信の履歴を消去するための通信履歴消去操作データを送信することを特徴とする。
【００１２】
また、請求項７の発明は、請求項６の発明において、前記情報伝達装置は、前記通信端末への前記通信履歴消去操作データの送信の開始を指示する送信開始指示手段を具備することを特徴とする。
【００１３】
また、請求項８の発明は、請求項１の発明において、前記情報伝達装置は、前記ポイント発行装置との通信状況および前記通信端末との通信状況を表示する表示手段を具備することを特徴とする。
【００１４】
また、請求項９の発明は、請求項１の発明において、前記情報伝達装置は、充電可能な２次電池と、前記ポイント発行装置に接続した際に前記２次電池を充電する充電手段とを具備することを特徴とする。
【００１５】
【発明の実施の形態】
以下、本発明に係わるポイントシステムの実施の形態について添付図面を参照して詳細に説明する。
【００１６】
図１は、本発明に関わるポイントシステムの概略構成の一例を示すブロック図である。なお、本発明に関わるポイントシステムは屋外若しくは屋内に配置される自動販売機若しくは各種店舗に配設されるレジスタで販売される商品をポイント発行の対象としている。
【００１７】
図１に示すように、本発明に関わるポイントシステムはポイント発行機１、情報伝達装置２、携帯通信端末３、センタ装置４から構成されている。
【００１８】
まず、利用者が商品を購入すると、ポイント発行機１は利用者に販売した商品の販売金額や販売数量等に対応する暗号化したポイント情報を生成する。
【００１９】
なお、ポイント発行機１が自動販売機若しくはレジスタに内蔵される構成の場合、ポイント発行機１は自動販売機若しくはレジスタと通信を行って商品の販売金額や販売数量等を受け取ってポイント情報を生成する。また、ポイント発行機１が自動販売機若しくはレジスタから独立する構成の場合、商品の販売がある毎に販売された商品の販売金額や販売数量等をポイント発行機１の操作部等（図示せず）から入力し、ポイント発行機１はポイント情報を生成する。
【００２０】
そして、ポイント発行機１の所定の外部接続部（図示せず）に情報伝達装置２を接続すると、ポイント発行機１は生成したポイント情報を情報伝達装置２に送信する。
【００２１】
なお、上記説明では、ポイント発行機１と情報伝達装置２とを物理的に接続させてポイント情報を送受する構成を一例にしているが、赤外線等の無線通信を用いて送受する構成も適用可能であり、データを送受する方法については特に限定しない。
【００２２】
また、上記説明では、ポイント発行機１がポイント情報の生成と情報伝達装置２にポイント情報を送信する構成を一例にしているが、ポイント発行機１はポイントの発行だけを行い、情報伝達装置２にポイント情報を送信する装置は、ポイント発行機１から独立した装置が行う構成にしても適用可能である。
【００２３】
そして、情報伝達装置２がポイント情報を受信し、利用者が所有する携帯電話若しくはＰＤＡ等の携帯通信端末３の所定の外部接続部（図示せず）に情報伝達装置２を接続すると、情報伝達装置２は携帯通信端末３から携帯通信端末３の機種の情報を受信し、受信した機種の情報に基づき、記憶したポイント情報に対応し且つ携帯通信端末３の機種に適する操作データを生成し、生成した操作データを携帯通信端末３に送信する。なお、操作データとは、携帯通信端末３からセンタ装置４にポイント情報を送信する際に必要な携帯通信端末３の操作手順のデータであり、携帯通信端末３の機種によって操作手順は異なる。
【００２４】
なお、上記説明では、情報伝達装置２と携帯通信端末３とを物理的に接続させて機種の情報若しくは操作データを送受する構成を一例にしているが、赤外線等の無線通信を用いて送受する構成も適用可能であり、データを送受する方法については特に限定しない。
【００２５】
そして、携帯通信端末３は情報伝達装置２から受信した操作データに基づく操作手順を行うことで、センタ装置４との通信を開始し、携帯通信端末３からセンタ装置４にポイント情報と利用者の個人データとを送信する。
【００２６】
そして、センタ装置４は携帯通信端末３から受信したポイント情報からポイント数を解読するとともに、利用者の個人データに基づいてセンタ装置４に蓄積された利用者についての情報（例えば、今までの積算ポイント数等）を検索する。そして、解読したポイント数をセンタ装置４に蓄積された利用者の今までの積算ポイント数に加算し、積算ポイント数を携帯通信端末３に送信する。
【００２７】
そして、携帯通信端末３はセンタ装置４から受信した積算ポイント数を携帯通信端末３の表示部（図示せず）に表示する。
【００２８】
図２は、情報伝達装置２の概略構成の一例を示すブロック図である。
【００２９】
図２に示すように、情報伝達装置２は制御部５、携帯通信端末・ポイント発行機インターフェース６、記憶部７、操作データ生成部８、履歴消去ボタン９、表示部１０から構成されている。
【００３０】
ここで、制御部５は、携帯通信端末・ポイント発行機インターフェース６、記憶部７、操作データ生成部８、履歴消去ボタン９、表示部１０の制御処理を行う。
【００３１】
また、携帯通信端末・ポイント発行機インターフェース６は、ポイント発行機１から送信されるポイント情報の受信、携帯通信端末３から送信される携帯通信端末３の機種の情報の受信および携帯通信端末３への操作データの送信を行う。なお、ポイント発行機１のためのインターフェースと携帯通信端末３のためのインターフェースとを別々にする構成も適用可能であり、データを送受する方法については特に限定しない。
【００３２】
また、記憶部７は、ポイント発行機１から受信したポイント情報を記憶するポイント情報記憶部１１、携帯通信端末の機種に適した操作手順を機種別に記憶する機種別操作手順記憶部１２、操作データ生成部８で生成された操作データを記憶する操作データ記憶部１３から構成されている。
【００３３】
また、操作データ生成部８は、携帯通信端末３から受信した携帯通信端末３の機種の情報に基づき、機種別操作手順記憶部１２から携帯通信端末３の機種に適した操作手順を読み出すとともに、ポイント情報記憶部１１からポイント情報を読み出し、読み出したポイント情報に対応し且つ携帯通信端末３の機種に適する操作手順の操作データを生成する。
【００３４】
また、携帯通信端末３とセンタ装置４との通信が終了した際に、利用者が携帯通信端末３のメモリ等に記憶された通信履歴を消去することを望む場合、履歴消去ボタン９を操作することで、操作データ生成部８が通信履歴消去操作データを生成し、生成した通信履歴消去操作データを制御部５が携帯通信端末・ポイント発行機インターフェース６を介して携帯通信端末３に送信する。そして、携帯通信端末３は受信した通信履歴消去操作データに基づく操作手順を行うことで、メモリ等に記憶された通信履歴を消去する。
【００３５】
また、表示部１０は、携帯通信端末・ポイント発行機インターフェース６における通信の状態等を表示する。また、ＬＥＤ等を利用して通信の状態を表示する構成でも良い。
【００３６】
なお、情報伝達装置２に２次電池若しくはコンデンサ等からなる充電部を設けることで、ポイント発行機１と通信する際に充電する構成を用いても良い。
【００３７】
図３は、情報伝達装置２を携帯通信端末３に接続してポイント情報をセンタ装置４に送信する際の情報伝達装置２および携帯通信端末３の状態の一例を示す図である。
【００３８】
図３に示すように、情報伝達装置２を携帯通信端末３の外部接続部に接続すると、携帯通信端末３とセンタ装置４との通信が開始し、携帯通信端末の表示部１４に「センタ装置通信中」というメッセージが表示される。なお、通信中に情報伝達装置２の表示部１０であるＬＥＤを点滅させ、通信が終了するとＬＥＤを点灯若しくは消灯する構成でも適用可能である。
【００３９】
図４は、携帯通信端末３がセンタ装置４から積算ポイント数を受信した際の携帯通信端末の表示部１４の表示例を示す図である。
【００４０】
図４に示すように、携帯通信端末３がセンタ装置４から積算ポイント数を受信すると、携帯通信端末３は携帯通信端末の表示部１４に「○○さんの積算ポイント数は１２０Ｐｔ」というメッセージを表示する。
【００４１】
図５は、携帯通信端末３に記憶された通信履歴を消去する際の携帯通信端末の表示部１４の表示例を示す図である。
【００４２】
図５（ａ）は、携帯通信端末の表示部１４に表示された通信履歴の一覧の一例を示す図である。図５（ａ）に示すように、携帯通信端末の表示部１４には、通信履歴の一覧に「▲１▼ポイント情報センタ装置」の通信履歴が表示されている。ここで、履歴消去ボタン９を操作すると、通信履歴の一覧から「▲１▼ポイント情報センタ装置」の通信履歴を消去することができる。
【００４３】
図５（ｂ）は、履歴消去ボタン９を操作した際の携帯通信端末の表示部１４の表示例を示す図である。図５（ｂ）に示すように、履歴消去ボタン９を操作すると、携帯通信端末の表示部１４に「ポイント情報センタ装置の通信履歴を消去します」というメッセージを表示し、「▲１▼ポイント情報センタ装置」の通信履歴を消去する。
【００４４】
図５（ｃ）は、通信履歴を消去した際の携帯通信端末の表示部１４の表示例を示す図である。図５（ｃ）に示すように、形態通信端末の表示部１４には、通信履歴の一覧が表示されるが「▲１▼ポイント情報センタ装置」の通信履歴は一覧から消去されている。
【００４５】
次に、本発明に関わるポイントシステムで行われる動作の手順について図６のフローチャートを参照して説明する。
【００４６】
利用者が商品を購入すると、ポイント発行機がポイント情報を生成し（ステップＳ６０１）、情報伝達装置をポイント発行機に接続すると、ポイント発行機がポイント情報を情報伝達装置に送信し（ステップＳ６０２）、ポイント情報の送信が完了して情報伝達装置を携帯通信端末に接続し（ステップＳ６０３）、情報伝達装置が携帯通信端末の機種の情報を読み込み、機種に基づいてポイント情報に対応する操作データを生成し（ステップＳ６０４）、操作データを携帯通信端末に送信し（ステップＳ６０５）、携帯通信端末が操作データに基づく操作手順を行い、センタ装置との通信を開始してポイント情報をセンタ装置に送信し（ステップＳ６０６）、センタ装置がポイント数の更新を行い（ステップＳ６０７）、更新したポイント数を携帯通信端末に送信し（ステップＳ６０８）、更新したポイント数を携帯通信端末の表示部に表示する（ステップＳ６０９）。
【００４７】
そして、履歴消去ボタンを操作されることで通信履歴の消去を指示された場合（ステップＳ６１０でＹＥＳ）、通信履歴を消去し（ステップＳ６１１）、処理手順を終了する。
【００４８】
なお、上記説明では、ポイント発行機１から受信したポイント情報を一時記憶し、携帯通信端末３の機種情報を受信した後で、携帯通信端末３の機種による操作手順に適した操作データを生成する構成を一例にしてきたが、ポイント発行機１からポイント情報を受信して機種別操作手順記憶部１１に記憶されている全ての機種別操作手順に適する操作データを生成して記憶し、携帯通信端末３の機種情報を受信した後で、携帯通信端末３の機種に適した操作データを読み出して携帯通信端末３に送信する構成でも適用可能である。
【００４９】
【発明の効果】
以上説明したように本発明によれば、通信端末からセンタ装置にポイント情報を送信する際に、簡単な操作で確実にポイント情報をセンタ装置に送信することが可能になるという効果を奏する。
【図面の簡単な説明】
【図１】本発明に関わるポイントシステムの概略構成の一例を示すブロック図である。
【図２】情報伝達装置２の概略構成の一例を示すブロック図である。
【図３】情報伝達装置２を携帯通信端末３に接続してポイント情報をセンタ装置４に送信する際の情報伝達装置２および携帯通信端末３の状態の一例を示す図である。
【図４】携帯通信端末３がセンタ装置４から積算ポイント数を受信した際の携帯通信端末の表示部１４の表示例を示す図である。
【図５】携帯通信端末３に記憶された通信履歴を消去する際の携帯通信端末の表示部１４の表示例を示す図である。
【図６】本発明に関わるポイントシステムで行われる動作の手順を示すフローチャートである。
【符号の説明】
１　　ポイント発行機
２　　情報伝達装置
３　　携帯通信端末
４　　センタ装置
５　　制御部
６　　携帯通信端末・ポイント発行機インターフェース
７　　記憶部
８　　操作データ生成部
９　　履歴消去ボタン
１０　　表示部
１１　　ポイント情報記憶部
１２　　機種別操作手順記憶部
１３　　操作データ記憶部
１４　　携帯通信端末の表示部
【図１】
2004062782.tif 000003
【図２】
2004062782.tif 000004
【図３】
2004062782.tif 000005
【図４】
2004062782.tif 000006
【図５】
2004062782.tif 000007
【図６】
2004062782.tif 000008